(57)【特許請求の範囲】
【請求項１】
家具や建具の折戸を開閉するときに当該家具や建具に配設されたレールに沿って走行する、タンデム状に配列された一対のメインローラーと、この一対のメインローラーのそれぞれ外側に位置するとともに、この一対のメインローラー間の中央に位置して当該メインローラーの主軸に垂直な支軸に軸着され、且つ、前記レールの開口部の空間内に配置されるガイドローラーとを備えた前記折戸に取り付けられる金具において、
前記ガイドローラーは、前記開口部の空間内に配置される当該ガイドローラーの外周部位が凹状に湾曲して成形され、この外周部位に前記開口部の開口端が常時突き当った状態で接しながら前記支軸の軸方向に進退移動可能且つ回転可能なように取り付けられてなることを特徴とする折戸用金具。
【発明の詳細な説明】
【技術分野】
【０００１】
本発明は、家具や建具などの折戸をスムーズに開閉すべく当該折戸に取り付けられる折戸用金具に関するものである。
【背景技術】
【０００２】
家具や建具などの折戸をスムーズに開閉すべく当該折戸に取り付けられ、当該家具や建具などに配設されたレールに沿って走行するメインローラー及びガイドローラーを備えてなる折戸用金具は、従来からある（特許文献１）。
例えば図６に示すように、特許文献１のランナ走行構造においては、ランナ本体１００がブロック部１０１に走行車輪１０２（メインローラー）、ガイド車輪１０３（ガイドローラー）を支承してなるもので、このうちガイド車輪１０３は、車輪本体１０３ａと、車輪本体１０３ａに抜止め連結した車軸１０３ｂと、車軸１０３ｂとブロック部１０１の肉薄部１０１ｂとの間に介装された座金１０３ｃとからなり、ブロック部１０１のガイド車輪支承孔１０１ｅに車軸１０３ｂを抜止め挿通して支承されている。そして、ランナ本体１００の走行において、ガイド車輪１０３がレール２００の開口端面２００ａを走行するので、これによっても走行体３００（吊戸）の振れが防止される、とするものである。
【０００３】
しかしながら、上述した特許文献１のランナ走行構造において、「ガイド車輪１０３がレール２００の開口端面２００ａを走行するので、これによっても走行体３００（吊戸）の振れが防止される」とされているが、ガイド車輪１０３とレール２００の開口端面２００ａとの間にクリアランスとして隙間Ｓが設定されている構造となっており（図６（Ｂ））、このため吊戸（本願の折戸に相当）の振れ防止としては、十分とは言い難い。けだし、クリアランスとしての隙間Ｓの分に応じて、吊戸の開閉時に当該吊戸が前後方向（例えば図５の「前」及び「後」で表示した方向）にがたついたり、或いは傾いたりし易くなってしまうからであり、場合によっては、クリアランスとして隙間Ｓが設けられているためガイド車輪１０３が傾斜した状態でレール２００の開口端面２００ａに強く突き当った状態、所謂かじりが生じた状態となって、ガイド車輪１０３が回転不能になってしまい、その結果折戸がロッキングの状態になることがある。
【特許文献１】特開平８−８２１５１（第３頁、図１，４）
【発明の開示】
【発明が解決しようとする課題】
【０００４】
解決しようとする問題点は、レールの開口部に折戸用金具のガイドローラーを配置する場合、レールの開口部の開口端とガイドローラーとの間に隙間が生じない構造にして、折戸の開閉時に当該折戸が前後方向にがたついたり、或いは傾いたりするのを軽減し、且つ、隙間が生じない構造にしてもガイドローラーが回転不能になったりせず、ひいては折戸がロッキング状態になったりしないようにする点である。
【課題を解決するための手段】
【０００５】
本発明の請求項１に係る折戸用金具は、家具や建具の折戸を開閉するときに当該家具や建具に配設されたレールに沿って走行する、タンデム状に配列された一対のメインローラーと、この一対のメインローラーのそれぞれ外側に位置するとともに、この一対のメインローラー間の中央に位置して当該メインローラーの主軸に垂直な支軸に軸着され、且つ、前記レールの開口部の空間内に配置されるガイドローラーとを備えた前記折戸に取り付けられる金具において、前記ガイドローラーは、前記開口部の空間内に配置される当該ガイドローラーの外周部位が凹状に湾曲して成形され、この外周部位に前記開口部の開口端が常時突き当った状態で接しながら前記支軸の軸方向に進退移動可能且つ回転可能なように取り付けられるようにしており、したがって、レールの開口部の開口端とガイドローラーとの間に隙間が生じないので、即ち、クリアランスが設けられていないので、折戸の開閉時に当該折戸が前後方向にがたついたり、或いは傾いたりするのが軽減され、また、クリアランスが設けられていなくてもガイドローラーが支軸の軸方向に進退移動可能なように取り付けられるので、かじりが発生してガイドローラーが回転不能になることはなく、結果として折戸がロッキングの状態にならないようにすることができる。
ところで、ガイドローラーの外周部位については、当該部位を凹状に湾曲して成形されたものが最適と考えられるが、この湾曲に成形されたところを直線状に傾斜させたものであっても同様の作用・効果が得られる場合がある。
【発明の効果】
【０００６】
本発明の折戸用金具は、折戸の開閉時に当該折戸が前後方向にがたついたり、或いは傾いたりするのが軽減され、加えて、ガイドローラーが回転不能になることがなく、折戸をロッキング状態にならないようにする利点がある。
【発明を実施するための最良の形態】
【０００７】
本発明の実施の形態に係る折戸用金具を図１〜５を参照して説明する。
本実施の形態に係る折戸用金具１は、図１に示すような建具２の、この例では扉を構成する折戸３，４のうちの折戸３の裏面３ａ側で、扉の戸先側に位置する最上端の右端に取り付けられる。即ち、板状の上枠２ａ、側枠２ｂ，２ｃ、及び下枠（但し、下枠は省略されている）などで外枠を構成し、これら外枠で構成される矩形体の前方側に折戸３，４を配置してなる建具２に対し、これら折戸３，４に開閉動作をさせる（例えば図１（Ｂ）に示すように、折戸３を同図中の矢印方向に移動させて折戸４に重ね合わせる開動作をさせる）ために、本折戸用金具１の下記メインローラー９及びガイドローラー１１を上枠２ａに配設されたレール５に走行可能に配置するとともに、吊りヒンジ２０（図２，３）を介して本折戸用金具１を、上述のように折戸３の裏面３ａで、扉の戸先側に位置する最上端の右端に取り付けてなるものである。但し、符号２１は、周知の所謂スライドヒンジであり、側枠２ｃ及び折戸４の上下端寄りの位置に対をなして、且つ、側枠２ｃと折戸４とに架け渡される態様で取り付けられ、建具２における折戸４の回転を可能にするものである。
【０００８】
本折戸用金具１の構成を図２，３を参照して説明する。
本折戸用金具１は、メインローラー９やガイドローラー１１が装着されたローラーホルダー６と、このローラーホルダー６との間で相対移動可能に取り付けられる吊りヒンジホルダー７と、この吊りヒンジホルダー７の挿通孔７ａ１を下方から挿通してローラーホルダー６のネジ孔６ａ１に螺着される連結ボルト８とで構成され、ローラーホルダー６に装着されたメインローラー９及びガイドローラー１１がレール５に配置されたときには、このローラーホルダー６に対して吊りヒンジホルダー７が、連結ボルト８の軸方向に沿って進退することになる。
このような構成の本折戸用金具においては、上述したようにメインローラー９及びガイドローラー１１がレール５に配置される一方、吊りヒンジホルダー７に吊りヒンジ２０を取り付け、この吊りヒンジ２０を、折戸３の裏面３ａで、扉の戸先側に位置する最上端の右端に取り付けて使用される（図１及び図２（Ａ）参照）。尚、前記スライドヒンジ２１を側枠２ｂ側に取り付け、本折戸用金具を最上端の左端に取り付けて使用することも可能であることはもちろんである。
【０００９】
上記ローラーホルダー６は、比較的肉薄の略直方体形状の基部６ａと、この基部６ａの長手方向に沿う両端にそれぞれ突設される一対の腕部６ｂと、この基部６ａの下面の両端寄りのところからそれぞれ突設されてなる一対の脚部６ｃとで構成され、上記基部６ａには、その中央に螺刻された上記ネジ孔６ａ１を隔てて当該基部６ａの両端（即ち、腕部６ｂに近接する位置のところ）に上記ネジ孔６ａ１の孔軸に対して垂直に軸孔６ａ２がそれぞれ設けられ、この軸孔６ａ２に一対のメインローラー９が軸着された主軸１０がそれぞれ圧入されており、これにより、これら一対のメインローラー９はレール５の走行路５ａにタンデム状に配列されることになる（例えば図２（Ａ）参照）。
【００１０】
上記基部６ａの両端の腕部６ｂは、基部６ａと同一の肉厚で小寸の略直方体形状をなし、これら腕部６ｂの略中央には、上記ネジ孔６ａ１の孔軸に平行に軸孔６ｂ１がそれぞれ設けられ、換言すれば、これら一対のメインローラー９のそれぞれ外側に位置するとともに、この一対のメインローラー９間の中央に位置して当該メインローラー９の主軸１０に垂直をなす軸孔６ｂ１がそれぞれ設けられ、これら軸孔６ｂ１にガイドローラー１１が軸着された支軸１２がそれぞれ圧入される。そして、このガイドローラー１１は、レール５の走行路５ａ間に形成される開口部１３の空間内に配置される（図２（Ａ）参照）。
【００１１】
そして、このようなガイドローラー１１は、図２，３や、詳細には図４に示すように、レール５の開口部１３の空間内に配置される当該ガイドローラー１１の外周部位１１ａが凹状に湾曲して成形され、この外周部位１１ａに開口部１３の開口端１４（本実施の形態では、当該開口端１４は、レール５の長手方向に垂直な断面で視たときに、丸みを帯びた湾曲形状をなしている。）が常時突き当った状態で取り付けられ、しかも、これに突き当った状態で接しながら支軸１２の軸方向に進退移動可能且つ回転可能なように取り付けられている。
【００１２】
上記脚部６ｃは、上述のように、基部６ａの下面の両端寄りのところからそれぞれ突設された一対の薄平な棒状部材で、当該脚部６ｃが吊りヒンジホルダー７の下記挿通溝７ａ２にそれぞれ進退移動するようになっている。そのため、上述のように、ローラーホルダー６と吊りヒンジホルダー７との間で上下方向のみに相対移動が可能になる。
【００１３】
また、吊りヒンジホルダー７は、外観視略肘掛台のような形状をなす部材で、上記ローラーホルダー６の長手方向に長寸な略直方体形状の上部台座７ａと、この上部台座７ａの下面中央で、且つ、当該上部台座７ａの長手方向に垂直に連設される薄平な略直方体形状の台座連結体７ｂと、この台座連結体７ｂに連設され、且つ、上部台座７ａの長手方向と同一方向を向いて開口する一対の略Ｖ字状溝７ｃ１がそれぞれ設けられた薄平な板状の下部台座７ｃとで構成され、この吊りヒンジホルダー７の中心には、上述したように、連結ボルト８の挿通孔７ａ１が、上部台座７ａ、台座連結体７ｂ及び下部台座７ｃを貫通する態様で設けられている（図３では、上部台座７ａの挿通孔７ａ１のみが描かれている）。
そして、上部台座７ａには、挿通孔７ａ１を隔てて等距離の位置に一対の摺動孔７ａ２が設けられ、この摺動孔７ａ２には、上述したように、ローラーホルダー６の脚部６ｃが進退移動するようになっているため、吊りヒンジホルダー７は当該ローラーホルダー６との間で上下方向にのみ相対移動可能になっている。
【００１４】
また、上部台座７ａと下部台座７ｃ及びこれらの間の台座連結体７ｂとで形成される略コ字状溝に吊りヒンジ２０の取付アーム部２０ａを挿入しておき、この取付アーム２０ａを台座連結体７ｂに設けられたネジ孔７ｂ１にネジ２２を螺着して固定することにより、本折戸用金具１に吊りヒンジ２０が取り付けられる。そして、この吊りヒンジ２０の取付プレート２０ｂを、上述したように、折戸３の裏面３ａで、扉の戸先側に位置する最上端の右端に取り付け（但し、このときメインローラー９及びガイドローラー１１はレール５に配置される。）、例えば図１（Ｂ）に示すように、折戸３を同図中の矢印方向に移動させて当該折戸３に開動作させると、メインローラー９等がレール５に沿って走行する一方、この走行に従ってこの吊りヒンジ２０の取付アーム部２０ａに対し取付プレート２０ｂが回転して当該取付アーム部２０ａと取付プレート２０ｂとが相対角変位するので、上述の開動作が可能になるのである。
【００１５】
次に、本折戸用金具１のガイドローラー１１における動作説明を図４，５を参照して説明する。
まず、ガイドローラー１１が配置されるレール５の開口部１３の空間が、例えばレール５の製造上のバラツキやレール５の組み付け誤差の原因等で広くなったり狭くなったりする場合があり、そのような場合のガイドローラー１１の動作説明を図４を参照して説明する。但し、図４（Ａ）は開口部１３の空間が広くなった（対峙する開口端１４間の距離が基準値より広くなった）場合、また、同図（Ｃ）は開口部１３の空間が狭くなった（対峙する開口端１４間の距離が基準値より狭くなった）場合であり、同図（Ｂ）は開口部１３の空間が基準値通り（対峙する開口端１４間の距離が基準値通り）の場合をそれぞれ示している。
【００１６】
同図（Ｂ）の場合におけるガイドローラー１１は、その凹状に湾曲された外周部位１１ａの比較的上方位置に、開口部１３の開口端１４が突き当った状態で接して動作しているが、同図（Ａ）の場合になると、ガイドローラー１１は、開口部１３の開口端１４に突き当った状態で接しながら支軸１２の同図中の矢印方向に下降移動（軸方向に進退移動）し、その外周部位１１ａの最上方位置１１ａ１近くに、開口部１３の開口端１４が突き当った状態で接して動作するようになる一方、同図（Ｃ）の場合になると、ガイドローラー１１は、開口部１３の開口端１４に突き当った状態で接しながら支軸１２の同図中の矢印方向に上昇移動（軸方向に進退移動）し、その外周部位１１ａの最底位置１１ａ２近くに、開口部１３の開口端１４が突き当った状態で接して動作するようになる。
【００１７】
したがって、開口部１３の空間が広くなったり狭くなったりしても、ガイドローラー１１が開口部１３の開口端１４に常時突き当った状態で接しながら支軸１２の軸方向に進退移動可能になるので、かじりが発生してガイドローラー１１が回転不能になることはないし、また、ガイドローラー１１と開口端１４とが常時突き当ってこれらの間に隙間が生じないので、折戸３，４の開閉時に前後方向にがたついたり、或いは傾いたりするのが軽減されるとともに、メインローラー９のレール５に対する傾斜度合が抑えられ当該メインローラー９のスムーズな走行が保たれる。
【００１８】
次に、折戸３，４を開閉しているときのガイドローラー１１の動作説明を図５を参照して説明する。但し、図５（Ａ）〜（Ｄ）中の、例えば図５（Ａ）において、上図は折戸３，４の動作説明図で、このときの本折戸用金具１のガイドローラー１１の動作説明図が下図である。尚、同図中、「前」とは折戸３，４の前方側を、また、「後」とは折戸３，４の後方側を表わしている。
【００１９】
まず、図５（Ａ）に示すように、折戸３，４が閉じられているときには、ガイドローラー１１は、その凹状に湾曲された外周部位１１ａの比較的上方位置に、開口部１３の開口端１４が突き当った状態で接している。この状態から折戸３に対し開方向に力Ｂ２を作用させて同図（Ｂ）の状態にしたときには、この力Ｂ２により「前」方向のモーメントＢ１が発生する一方、これに抗して、折戸３を開いたことによる「後」方向の折戸３，４から自重のモーメントＣ１が作用するので、結果としてガイドローラー１１は、同図に示すように、僅かな角度Ｐ１だけ傾いた状態になる（このとき、メインローラー９及びこれを装着したローラーホルダー６も同量傾くが、当該ガイドローラー１１の外周部位１１ａに開口部１３の開口端１４が常時突き当っていてこれらの間に隙間が生じないため、従来の傾き量より小さい）。この傾いた状態への移行は、ガイドローラー１１の外周部位１１ａに開口端１４が常時突き当った状態で接しながら回転しつつ支軸１２の軸方向に移動してなされ、開口端１４の一方が外周部位１１ａの最底位置１１ａ２付近で、また、開口端１４の他方が外周部位１１ａの最上方位置１１ａ１寄りのところで接するようになる。更に、折戸３を「前」方向に引いて同図（Ｃ）の状態、即ち、折戸３，４を全開した状態にしたときには、折戸３，４からの自重のモーメントＣ１のみが作用しているので、ガイドローラー１１は、同図に示すように、角度Ｐ２（＞Ｐ１）だけ傾いた状態になる。この傾いた状態への移行は、同様にその外周部位１１ａに開口端１４が常時突き当った状態で接しながら回転しつつ支軸１２の軸方向に移動してなされ、開口端１４の一方が外周部位１１ａの比較的上方位置で、また、開口端１４の他方が外周部位１１ａの最上方位置１１ａ１近くで接するようになる。そして、全開状態から折戸３に対し閉方向に引く力Ｄ２を作用させて同図（Ｄ）の状態、即ち、折戸３，４を閉じ始めた状態のときには、この力Ｄ２により、「後」方向のモーメントＤ１が発生するとともに、折戸３を開いたことによる「後」方向の折戸３，４からの自重のモーメントＣ１と合わさって作用するので、結果としてガイドローラー１１は、同図に示すように、最大角度Ｐ３（＞Ｐ２）だけ傾いた状態になる。この傾いた状態への移行は、同様にその外周部位１１ａに開口端１４が常時突き当った状態で接しながら回転しつつ支軸１２の軸方向に移動してなされ、開口端１４の一方が外周部位１１ａの最底位置１１ａ２寄りのところで、また、開口端１４の他方が外周部位１１ａの最上方位置１１ａ１で接するようになる。
【００２０】
このようにガイドローラー１１の、図５（Ａ）〜（Ｄ）の動作は、当該ガイドローラー１１が開口端１４に常時突き当った状態で接しながら回転しつつ支軸１２の軸方向に進退移動して行われるので、かじりが発生して当該ガイドローラー１１が回転不能になり、折戸がロッキング状態になるようなことはない。
また、折戸３，４を開閉しているときも、ガイドローラー１１と開口部１３の開口端１４とが常時突き当っていてこれらの間に隙間が生じないので、この折戸３，４の開閉時に前後方向にがたついたり、或いは傾いたりするのが軽減されるとともに、メインローラー９のレール５に対する傾斜度合が抑えられ当該メインローラー９のスムーズな走行が保たれる。
【産業上の利用可能性】
【００２１】
本発明の折戸用金具は、ガイドローラーの外周部位を凹状に湾曲して成形し、ガイドローラーがその外周部位にレールの開口部の開口端が常時突き当った状態で接しながら支軸の軸方向に進退移動可能且つ回転可能なように取り付けられており、このため折戸の開閉時に当該折戸が前後方向にがたついたり、或いは傾いたりするのが軽減され、また、かじりが発生してガイドローラーが回転不能になり、その結果折戸がロッキング状態になってしまうようなことはなく既存の折戸用金具に比べ利用価値の高いものと言える。
【図面の簡単な説明】
【００２２】
【図１】本実施の形態に係る折戸用金具が折戸に取り付けられた建具の概略斜視図及び折戸の開閉に伴うこの折戸用金具の動作説明図である。
【図２】図１の折戸用金具の斜視図である。
【図３】図１の折戸用金具の分解斜視図である。
【図４】図１の折戸用金具のガイドローラーの動作説明図である。
【図５】図１の折戸用金具のガイドローラーの動作を説明するための模式図である。
【図６】従来のランナ走行構造の外観斜視図及びその一部拡大断面図である。
【符号の説明】
【００２３】
１                    折戸用金具
２                    建具
３，４                折戸
５                    レール
９                    メインローラー
１０                  主軸
１１                  ガイドローラー
１１ａ                外周部位
１２                  支軸
１３                  （レールの）開口部
１４                  （開口部の）開口端
【図１】
0006410262.tif 000002
【図２】
0006410262.tif 000003
【図３】
0006410262.tif 000004
【図４】
0006410262.tif 000005
【図５】
0006410262.tif 000006
【図６】
0006410262.tif 000007